(57)【要約】【課題】遊技関連情報を表示する表示器と各種識別情報を表示した識別シールとを、遊技盤における非遊技領域にコンパクトに設けると共に、該表示器の着脱作業を遊技盤の前側から容易になし得る遊技機を提供する。【解決手段】遊技盤２０の非遊技領域２０ｂに設けた第１コーナー部材３６に、表示装置４２を前側から着脱可能な設置部４０を形成する。また、表示装置４２からの配線を挿通する挿通孔を設置部４０および遊技盤２０の裏側に開口するよう第１コーナー部材３６に形成して、該配線を遊技盤２０の裏側まで導出し得るよう構成する。更に、設置部４０の前側を被覆するカバー部材６５を第１コーナー部材３６に着脱可能に取り付けるよう構成すると共に、表示器４３を前方から透視可能な表示窓６６、および各種識別情報を表示した識別シール７４を貼着可能な貼着部６７をカバー部材６５に設けるようにした。【選択図】図５
2008061906.tif 000002
【特許請求の範囲】
【請求項１】
遊技盤前面の非遊技領域に設けたコーナー部材に、遊技関連情報を表示可能な表示器を備えた表示装置を配設するよう構成した遊技機において、
前記コーナー部材に形成され、前記表示装置を前側から着脱可能な設置部と、
前記コーナー部材に形成されて前記設置部および遊技盤の裏側に開口し、前記表示装置に接続された配線を挿通する挿通孔と、
前記コーナー部材に着脱可能に取り付けられて前記設置部の前側を被覆するカバー部材と、
前記カバー部材に設けられて前記表示器を前方から透視可能な窓部と、
前記カバー部材に設けられ、各種識別情報を表示した識別シールを貼着する貼着部とを備える
ことを特徴とする遊技機。
【請求項２】
前記コーナー部材は、前記表示装置に接続した配線を収容する配線収容部を備えると共に、該配線のコネクタを着脱可能に固定する仮止め部を備える請求項１記載の遊技機。
【発明の詳細な説明】
【技術分野】
【０００１】
本発明は、遊技盤の非遊技領域に、遊技関連情報を表示可能な表示器が配設された遊技機に関するものである。
【背景技術】
【０００２】
例えば遊技機の代表例の一つであるパチンコ機は、遊技盤に設けた遊技領域内に、図柄表示装置や始動入賞装置、特別入賞装置等の遊技部品が配設されており、該遊技領域内を流下するパチンコ球の始動入賞装置への入賞により、図柄表示装置で図柄変動ゲームを開始して、最終的に所定の図柄組合せ(大当り図柄)が図柄表示装置に表示されることで、遊技者に有利な特別遊技(所謂大当り)が発生するよう構成されている。この特別遊技が発生すると、常には閉鎖された前記特別入賞装置が開放してパチンコ球の入賞が許容される。なお一般的には、前記始動入賞装置や特別入賞装置等の入賞装置にパチンコ球が入賞すると、入賞装置に対応して所定数の賞球が払い出されるようになっている。
【０００３】
一方、前記遊技盤における非遊技領域に、遊技に直接的に関係しない情報を表示(開示)して、遊技盤(パチンコ機)が所定基準に適合していることや、遊技の適正さ等を確認し得るよう構成されたパチンコ機も提案されている。例えば特許文献１には、前記遊技盤の非遊技領域に、遊技機製造メーカや遊技盤の納入先等の開示義務のある各種情報を表示する証紙(識別シール)を貼着して、遊技に供される遊技盤が所定基準に適合している旨を明示するようになっている。また、特許文献２には、前記遊技盤の非遊技領域に設けたコーナー部材に対して、前記各入賞装置等にパチンコ球が入賞した際に払出される賞球の残数をリアルタイムに表示可能な表示器を有する賞球残数表示装置を設けるよう構成したパチンコ機が開示されている。この賞球残数表示装置を設けることで、例えば遊技中にパチンコ機に何らかのトラブルが発生して賞球の払出しが停止した場合に、正確な賞球残数を賞球残数表示装置に表示して、遊技者に適正なパチンコ球の払出しが行なわれる安心感を与えることが期待できる。
【特許文献１】実開平７−４５１号公報
【特許文献２】特開２００２−２４８２２２号公報
【発明の開示】
【発明が解決しようとする課題】
【０００４】
ところで、前記賞球残数表示装置は、前記コーナー部材の裏側(すなわち遊技盤の裏側)から取り付けられる。このため、賞球残数表示装置の交換やメンテナンス作業等に際しては、遊技盤からコーナー部材を取り外した後に、該コーナー部材に対して賞球残数表示装置を着脱する必要があり、比較的手間が掛かるものとなっていた。このため、賞球残数表示装置の着脱作業をより容易に行ない得るよう構成されたパチンコ機が望まれている。また、遊技演出の多様化を図り得るよう遊技盤に対して可能な限り大きな遊技領域を確保するのが一般的であり、前記証紙や賞球残数表示装置を配置可能な非遊技領域は、遊技盤の四隅近傍に限られているのが現状である。このような状況下では、非遊技領域内に前記証紙および賞球残数表示装置を可能な限りコンパクトに設置して、非遊技領域の有効利用を図ることが望まれる。
そこで、本発明は、遊技関連情報を表示する表示装置と各種識別情報を表示した識別シールとを、遊技盤における非遊技領域にコンパクトに設けると共に、該表示装置の着脱作業を遊技盤の前側から容易になし得る遊技機を提供することを目的とする。
【課題を解決するための手段】
【０００５】
前記課題を克服し、所期の目的を達成するために、本願の請求項１に係る遊技機は、
遊技盤(20)前面の非遊技領域(20b)に設けたコーナー部材(36)に、遊技関連情報を表示可能な表示器(43)を備えた表示装置(42)を配設するよう構成した遊技機において、
前記コーナー部材(36)に形成され、前記表示装置(42)を前側から着脱可能な設置部(40)と、
前記コーナー部材(36)に形成されて前記設置部(40)および遊技盤(20)の裏側に開口し、前記表示装置(42)に接続した配線(46)を挿通する挿通孔(56)と、
前記コーナー部材(36)に着脱可能に取り付けられて前記設置部(40)の前側を被覆するカバー部材(65)と、
前記カバー部材(65)に設けられて前記表示器(43)を前方から透視可能な窓部(66)と、
前記カバー部材(65)に設けられ、各種識別情報を表示した識別シール(74)を貼着部(67)とを備えることを要旨とする。
【０００６】
このように、遊技盤前面の非遊技領域に設けたコーナー部材に設置部を形成して、遊技関連情報を表示する表示器を備えた表示装置を遊技盤の前側から着脱し得るよう構成したから、該表示装置の着脱作業を容易に行ない得る。また、前記設置部の前側を被覆するカバー部材に、識別シールを取り付ける貼着部を設けて、表示装置と識別シールとを前後に配置し得るよう構成したことで、表示装置および識別シールに要するスペースを最小限に抑制し得る。このとき、前記表示装置の表示器を透視可能な窓部を前記カバー部材に設けたことで、該表示器の視認性が阻害されることはない。
【０００７】
請求項２に係る発明は、前記コーナー部材(36)は、前記表示装置(42)に接続した配線(46)を収容する配線収容部(54)を備えると共に、該配線(46)のコネクタ(46b)を着脱可能に固定する仮止め部(59)を備えることを要旨とする。
【０００８】
このように、前記表示装置に接続した配線を収容する配線収容部および該配線のコネクタを着脱可能に固定する仮止め部の夫々を前記コーナー部材に設けることで、当該配線を一定位置に保持でき、保管時等において表示装置を設置部に取り付けた状態でのコーナー部材や遊技盤の取扱いが容易になる。
【発明の効果】
【０００９】
本発明によれば、遊技関連情報を表示する表示装置と各種識別情報を表示した識別シールとを、遊技盤における非遊技領域にコンパクトに設けると共に、該表示装置の着脱作業を遊技盤の前側から容易に行なうことができる。
【発明を実施するための最良の形態】
【００１０】
本発明に係る遊技機につき好適な実施例を挙げて、添付図面を参照しながら、以下詳細に説明する。なお実施例では、遊技機として、パチンコ球を遊技媒体として使用する一般的なパチンコ機を例にして説明する。なお、以下の説明において、「前」、「後」、「左」、「右」とは、図１または図２に示すようにパチンコ機を正面から見た状態を基準として指称するものとする。
【実施例】
【００１１】
実施例に係るパチンコ機１０の概略構成について、図１または図２を参照して説明する。パチンコ機１０は、遊技店に設けられた島とも称される設置枠台(図示せず)に固定される外枠１１と、該外枠１１に対して着脱および開閉可能に枢支された中枠１２と、該中枠１２に着脱交換可能に取り付けられて所要の遊技領域２０ａが画成される遊技盤２０と、中枠１２の前面側に着脱および開閉可能に枢支されて遊技盤２０を透視保護する透明板１４を備えた前枠１３とを備えている。前記前枠１３には、前記透明板１４の下方位置にパチンコ球を貯留可能な上球皿１５が組み付けられており、前枠１３の開閉に合わせて該上球皿１５が一体的に開閉するようになっている。また、前記中枠１２の前側における前記前枠１３の下方には、パチンコ球を貯留可能な下球皿１７を形成した球皿部材１６が着脱および開閉可能に組み付けられている。なお、前記中枠１２における球皿部材１６の下方位置には、操作ハンドル１８が設けられており、該操作ハンドル１８を操作することで、図示しない球発射装置が作動して上球皿１５のパチンコ球を遊技盤の遊技領域２０ａへ向けて打ち出すよう構成されている。
【００１２】
前記遊技盤２０の前面(盤面)には、図２に示すように、略円形状に湾曲形成された外レール２１と、該外レール２１の内側左部に離間して配置される円弧状の内レール２２とからなる案内レール２３が配設されて、該案内レール２３により遊技領域２０ａを画成するようになっている。また、前記遊技盤２０における遊技領域２０ａ内には、各種図柄等を変動表示可能な図柄表示装置２４や、パチンコ球の入賞により図柄表示装置２４での図柄変動ゲームを開始する始動入賞装置２５、図柄変動ゲームの結果として大当り(例えば同一図柄の３つ揃い等)の発生により開放する特別入賞装置２６、その他の一般入賞装置２７や電飾装置２８等の遊技用部品が配置されている。そして、実施例のパチンコ機１０は、図示しない球発射装置により案内レール２３に沿って遊技領域２０ａ内に打ち出されたパチンコ球が始動入賞装置２５に入賞することで、所定数の賞球の払出しが行なわれると共に図柄変動ゲームが開始され、図柄変動ゲームの結果に応じて開放した特別入賞装置２６にパチンコ球が入賞することで、多数の賞球を獲得する機会が与えられるようになっている。なお、実施例では、前記外レール２１は金属薄板から形成され、前記内レール２２は合成樹脂材から形成される。また、以下の説明において、始動入賞装置２５、特別入賞装置２６および一般入賞装置２７を総合して、単に入賞装置２５,２６,２７と指称する。なお、各入賞装置２５,２６,２７はパチンコ球の入賞を検出する検出スイッチ２９を夫々備えており、検出スイッチ２９がパチンコ球を検出すると主制御装置３１に対して入賞信号を出力するようになっている。
【００１３】
一方、パチンコ機１０の裏側には、前記上下の球皿１５,１７に対して賞球や貸球を払出す球払出装置３０(図４参照)やその他の各種電気部品が配設されている。また、前記パチンコ機１０の裏側には、パチンコ機１０全体を制御する主制御装置３１や、該主制御装置３１からの制御信号に基づいて球払出装置３０を制御する払出制御装置３２、該主制御装置３１からの制御信号に基づいて前記図柄表示装置２４での表示内容を制御する表示制御装置(図示せず)等の各種制御装置を配設してある(図４参照)。
【００１４】
ここで、前記遊技盤２０には、図２または図３に示すように、前記案内レール２３(外レール２１)の外側に画成される非遊技領域２０ｂに、所要の装飾が施された合成樹脂製のコーナー飾り部材３５が配設されている。但し、図３では外レール２１を省略して図示してある。実施例では、前記コーナー飾り部材３５は、遊技盤２０の右上部から右下部に亘って位置するよう一体形成された第１コーナー部材(コーナー部材)３６と、遊技盤２０の左上部に位置する第２コーナー部材３７と、遊技盤２０の左下部に位置する第３コーナー部材３８とから構成されて、第１〜第３コーナー部材３６,３７,３８により前記非遊技領域２０ｂの略全体を覆うようになっている。なお、前記第１コーナー部材３６の下端に、前記内レール２２が連設している。
【００１５】
図５〜図８に示すように、前記第１コーナー部材３６の下端部には、前方へ開口するよう後方に凹む設置部４０が形成されて、該設置部４０に、遊技関連情報(実施例では賞球の未払出し個数)を表示可能な表示装置４２が着脱可能に配設されている。前記表示装置４２は、数字およびアルファベットを表示可能な表示器４３と、前記主制御装置３１に接続される配線４６に設けたコネクタ４６ａを下側から着脱可能なコネクタ差込口４４と、表示器４３およびコネクタ差込口４４を同一面側に取り付けた基板４５とからなり、基板４５を設置部４０に取り付けた際に、基板４５の上方に表示器４３が位置し、基板４５の下方にコネクタ差込口４４が位置するよう構成されている。なお、前記設置部４０における前方へ露出する面が、基板４５の後面を支持する支持面４０ａとして機能している。
【００１６】
ここで、前記コネクタ差込口４４には、前記主制御装置３１からの配線４６(図８(b)参照)がコネクタ４６ａを介して電気的に接続され、主制御装置３１からの制御信号に基づいて表示器４３の表示を変更するようになっている。なお、前記表示器４３としては、７セグメントＬＥＤやドットマトリクスＬＥＤ、液晶表示器、有機ＥＬディスプレイ、その他数字・アルファベット等の各種文字を表示可能な従来公知の表示手段が好適に採用される。実施例では、前記表示器４３として７セグメントＬＥＤを採用して、基板４５上に３つ並列に設置することで、３桁の数字およびアルファベットを表示し得るよう構成してある。また、前記基板４５における前記表示器４３の下方位置には、前後に貫通する位置決め孔４５ａ(図５参照)を穿設してある。
【００１７】
なお、前記表示装置４２(表示器４３)で表示する遊技関連情報とは、遊技演出(大当たり、リーチ等)に応じて適宜変動する情報を意味するものであって、各種入賞装置２５,２６,２７への入賞時に払出される規定の賞球数等のように予め決定されて変動しない情報を意味するものではない。従って、遊技関連情報としては、例えば賞球の未払出し個数や、遊技状態(確変状態・非確変状態等)の情報、遊技演出に適した遊技方法(パチンコ球の打ち出し位置の指示等)の情報等が挙げられる。また、賞球の未払出し個数とは、前記各入賞装置２５,２６,２７へのパチンコ球の入賞に基づき払出される賞球のうち、払出されていない賞球の総個数を意味している。従って、賞球の未払出し個数は、各種入賞装置２５,２６,２７へのパチンコ球の入賞により増加し、賞球の払出しにより減少するものである。
【００１８】
また、図５または図６に示すように、前記設置部４０には、前記基板４５を着脱可能に保持する基板保持手段５０が形成されている。前記基板保持手段５０は、前記設置部４０における支持面４０ａの左側位置に上方へ折れ曲るＬ字状に形成されて弾性変形可能な第１係合フック５２と、設置部４０の右前端部に形成されて該設置部４０の前方へ延出する第１係合片５１と、第１係合フック５２および第１係合片５１の間に前方へ突出するよう支持面４０ａに形成された位置決め突部５３とから構成される。すなわち、前記第１係合片５１と支持面４０ａとの間の隙間に基板４５の右端部を差し込んだ状態で、該基板４５の左端部を前記第１係合フック５２に当接させ、この状態で基板４５を支持面４０ａ側に近接移動させることで第１係合フック５２が弾性変形し、基板４５の後面を支持面４０ａに当接させた際に弾性復帰した第１係合フック５２が基板４５の前面に係合するようになっている。このとき、前記支持面４０ａの位置決め突部５３が、前記基板４５の位置決め孔４５ａに挿入される。
【００１９】
すなわち、前記第１係合フック５２および第１係合片５１が基板４５の前面に係合することで、基板４５の前後方向の移動を規制し、位置決め突部５３が位置決め孔４５ａに挿入されることで、基板４５の上下および左右方向の移動を規制するようになっている(図６(b)参照)。なお、前記設置部４０における支持面４０ａの上部位置および下部位置には、前後に開口する逃し孔４０ｂ,４０ｂが形成されており、基板保持手段５０で基板４５を保持した際に、該基板４５の裏側から突出する前記表示器４３およびコネクタ差込口４４の端子部(図示せず)が逃し孔４０ｂ,４０ｂに臨んで、該端子部と支持面４０ａとの接触を防止している。
【００２０】
また、前記第１コーナー部材３６における前記設置部４０の下方には、図５〜図８に示すように、前方へ開口する配線収容凹部(配線収容部)５４が凹設されている。そして、前記表示装置４２(基板４５)を設置部４０に取り付けた際に、前記コネクタ差込口４４が前記配線収容凹部５４の収容空間５５に臨んで、該収容空間５５を介してコネクタ差込口４４に対してコネクタ４６ａを下側から着脱し得るようになっており、コネクタ差込口４４にコネクタ４６ａを接続した配線４６を収容空間５５に収容し得るよう構成されている(図８(c)参照)。また、前記配線収容凹部５４の右後端部には、後方へ開口する挿通孔５６が形成されており、該挿通孔５６を介して収容空間５５内の配線４６を第１コーナー部材３６の裏側へ挿通し得るようになっている。なお、前記遊技盤２０は、前記第１コーナー部材３６における配線収容凹部５４に対応する位置が切り欠かれて、前記挿通孔５６に挿通した配線４６を遊技盤２０の裏側へ取り回し得るよう構成される。実施例では、パチンコ機１０の裏側(例えば遊技盤２０や中枠１２の裏側)に中継基板(図示せず)が配設されており、該中継基板に、前記表示装置４２(コネクタ差込口４４)に接続された配線４６と、主制御装置３１に接続された配線(図示せず)とを接続することで、表示装置４２(表示器４３)と主制御装置３１とを電気的に接続している。なお、前記表示装置４２に接続した配線４６は、前記中継基板に対して接続し得る所要長さ寸法に形成されて、一方の端部に前記コネクタ差込口４４に接続するコネクタ４６ａが設けられると共に、他方の端部に中継基板のコネクタ差込口(図示せず)に接続するコネクタ４６ｂが設けられている。また、前記配線４６は、前記配線収容凹部５４内で束ねた状態(折りたたんだ状態)で収容される。
【００２１】
また、図５、図７または図８に示すように、前記第１コーナー部材３６の裏側には、第１コーナー部材３６における配線収容凹部５４の右端部に対応する位置に、前方へ凹む段差部５８が形成されている。前記段差部５８にはコネクタ保持手段(仮止め部)５９が形成されており、前記配線収容凹部５４に収容した配線４６における中継基板に接続する側のコネクタ４６ｂをコネクタ保持手段５９で仮止め保持し得るよう構成されている。前記コネクタ保持手段５９は、配線収容凹部５４の下端に設けられて段差部５８の後方へ延出する第２係合片６０と、該配線収容凹部５４の上端に設けられて上下方向に弾性変形可能な第２係合フック６１とから構成されて、コネクタ４６ｂの前面を段差部５８に当接させた際に、第２係合片６０および第２係合フック６１がコネクタ４６ｂの後面に係合してコネクタ４６ｂを保持するようになっている。
【００２２】
具体的には、前記挿通孔５６に挿通したコネクタ４６ｂの下端部を、前記第２係合片６０と段差部５８との間の隙間に差し込んだ状態で、該コネクタ４６ｂの上端部を前記第２係合フック６１に当接させ、この状態でコネクタ４６ａを段差部５８側に近接移動させることで第２係合フック６１が弾性変形し、コネクタ４６ｂの前面を段差部５８に当接させた際に弾性復帰した第２係合フック６１がコネクタ４６ｂの後面に係合する。なお、前記配線収容凹部５４の外側面には、段差部５８側に開放して指先を臨ませ得る凹み部６３が形成されており、該凹み部６３に臨ませた指先によりコネクタ４６ｂを摘みながら第２係合フック６１を弾性変形させることで、コネクタ保持手段５９で保持したコネクタ４６ｂを容易に取り外し得るようになっている。
【００２３】
また、図３、図５または図６(c)に示すように、前記第１コーナー部材３６には、前記設置部４０、配線収容凹部５４および表示装置４２の前側を被覆するカバー部材６５が着脱可能に取り付けられる。ここで、前記カバー部材６５は、図５または図６(c)に示すように、前記設置部４０に設置した表示装置４２における表示器４３の前側を被覆する表示窓(窓部)６６と、表示器４３以外の設置部４０および配線収容凹部５４の前側を被覆すると共に各種識別情報を表示した識別シール７４を貼着する平板状の貼着部６７とから構成されて、全体を透明な合成樹脂材により形成されている。すなわち、前記設置部４０および配線収容凹部５４をカバー部材６５で覆った際に、前記表示窓６６を介して前記表示器４３の表示を前方から視認し得るようになっている。なお、前記識別シール７４に表示される識別情報としては、例えば、機械番号や、製造メーカ、製造年月、パチンコ機固有の情報(規定賞球数や大当り確率等)、工業所有権の使用許諾に関する情報、遊技盤２０の納入先に関する情報等が挙げられ、これらの情報から適宜選択されたものが識別シール７４に表示される。
【００２４】
また、前記カバー部材６５には、図５に示すように、左端部の略中央位置に左方へ延出する第３係合片６９が形成されると共に、右端部の略中央位置に後方へ延出する第３係合フック７０が形成されている。一方、前記設置部４０の左前端部には、前記第３係合片６９と係脱可能に係合する第３係合孔７１が形成されると共に、該設置部４０の右前端部には、前記第３係合フック７０と係脱可能に係合する係合溝７２が形成されている。すなわち、前記カバー部材６５の第３係合片６９を第３係合孔７１に挿入した状態で、カバー部材６５の右端部を第１コーナー部材３６に近接移動し、カバー部材６５の第３係合フック７０を係合溝７２に係合させることで、第１コーナー部材３６にカバー部材６５が取り付けられて、設置部４０、配線収容凹部５４および設置部４０に設置した表示装置４２の前側を被覆するようになっている。
【００２５】
次に、前記表示装置４２(表示器４３)に賞球の未払出し個数を表示する電気的構成について、図４に基づき説明する。前記入賞装置２５,２６,２７にパチンコ球が入賞したことを検出スイッチ２９が検出すると、該入賞装置２５,２６,２７からの入賞信号が前記主制御装置３１に入力される。そして、前記主制御装置３１では、入賞信号に対応する規定賞球数(例えば、５個、１０個、１５個など)をＲＯＭ等の記憶手段(図示せず)から読み出して、入賞したパチンコ球数に対応する賞球数を合算した主制御用賞球総個数を記憶する。この主制御用賞球総個数が賞球の未払出し個数に相当する。また、前記主制御装置３１は、前記入賞信号が入力される毎に、入賞信号に基づく賞球数を加算した新たな主制御用賞球総個数として記憶する。
【００２６】
更に、前記主制御装置３１は、表示装置４２に対して主制御用賞球総個数に対応する制御信号を出力して、表示器４３に賞球の未払出し個数が表示される。従って、遊技者は前記表示器４３に表示された、例えば、「１０」などの数字に基づき１０個の賞球が未払出し状態である(これから払出される)ことを把握できる。
【００２７】
一方、前記主制御装置３１は、前記入賞信号に基づき払出制御装置３２に対して賞球制御信号を出力する。前記払出制御装置３２では、この賞球制御信号が前記払出制御装置３２に入力されると、賞球制御信号に対応する規定賞球数(例えば、５個、１０個、１５個など)をＲＯＭ等の記憶手段(図示せず)から読み出して、入賞したパチンコ球数に対応する賞球数を合算した払出制御用賞球総個数を記憶する。そして、払出制御装置３２から球払出装置３０に対して制御信号が出力されて、球払出装置３０によるパチンコ球(賞球)の払出しが行なわれる。賞球の払出しに際して、球払出装置３０が備える計数センサ３０ａ(図４参照)が賞球を検知すると、前記払出制御装置３２に対して賞球払出し信号が出力される。
【００２８】
賞球払出し信号が入力された払出制御装置３２では、記憶している払出制御用賞球総個数の値(例えば、「１０」)を１ずつ減算し、減算後の払出制御用賞球総個数の値(「９」)を新たな賞球総個数の値として記憶する。その後、払出制御装置３２から主制御装置３１に対して払出完了信号が出力される。払出完了信号が主制御装置３１に入力されると、主制御装置３１では、同様に記憶している主制御用賞球総個数の値(例えば、「１０」)を１ずつ減算し、減算後の主制御用賞球総個数の値(「９」)を新たな賞球総個数の値として記憶する。更に、主制御装置３１は前記表示装置４２に対して新たな制御信号を出力し、この制御信号に基づいて減算後の賞球の未払出し個数が前記表示器４３に表示される(例えば、「１０」→「９」)。このように、前記表示器４３に表示された数字の減少により賞球の払出しが適切に行なわれていることを遊技者が把握できる。
【００２９】
以下、同様に各入賞装置２５,２６,２７にパチンコ球が入賞すると前記入賞信号に基づき前記賞球総個数(主制御用賞球総個数)の値が加算されて表示器４３の数字が増加し、パチンコ球が１個払出される毎に前記賞球総個数の値が減算されて表示器４３の数字が減少する。なお、実施例では、主制御装置３１が記憶する賞球総個数の値が３桁の数値(９９９個)を超えると(１０００個以上になると)、前記表示器４３には３桁のアルファベット(例えば、ＦＦＦ)が表示されるよう設定してある。これにより、遊技者(または遊技店の店員)は賞球の未払出し個数が１０００個以上であることを把握し得るようになっている。賞球総個数の値が９９９個以下になると、前記表示器４３には実際の賞球の未払出し個数が数値で表示される。なお、前記主制御装置３１は、入賞装置２５,２６,２７に対してパチンコ球の入賞がなく、前記賞球総個数の値が０(ゼロ)である場合には、前記表示器４３に「０」を表示するよう設定してある。
【００３０】
〔実施例の作用〕
次に、実施例のパチンコ機１０の作用につき説明する。
【００３１】
(第１コーナー部材に対する表示装置の取り付けについて)
先ず、第１コーナー部材３６に対する表示装置４２の取り付けについて説明する。前記第１コーナー部材３６からカバー部材６５を取り外した状態で、第１コーナー部材３６の第１係合片５１と設置部４０との間の隙間に表示装置４２における基板４５の右端部を挿入し、この状態で基板４５の左端部を設置部４０に近接移動する。そして、前記設置部４０に設けた第１係合フック５２に前記基板４５の左端部を当接させて、基板４５を設置部４０側に更に移動することで、該第１係合フック５２が弾性変形し、基板４５の後面が設置部４０に当接すると、第１係合フック５２が弾性復帰して第１係合フック５２が基板４５の前面に係合する。このとき、設置部４０に形成した位置決め突部５３が基板４５の位置決め孔４５ａに挿入される。すなわち、前記基板４５の右端部と第１係合片５１、および基板４５の左端部と第１係合フック５２の夫々の係合により基板４５の前後方向への移動が規制されると共に、前記位置決め突部５３が位置決め孔４５ａに挿入されることで、基板４５の上下方向および左右方向への移動が規制されて、設置部４０の所定位置に表示装置４２(基板４５)が保持される。
【００３２】
前記表示装置４２を設置部４０に取り付けた状態では、該表示装置４２のコネクタ差込口４４が前方へ開口する配線収容凹部５４の収容空間５５に臨むから、配線４６の一方のコネクタ４６ａを配線収容凹部５４の開口を介して第１コーナー部材３６の前方において下側からコネクタ差込口４４に接続する。そして、コネクタ差込口４４に接続した配線４６の他方のコネクタ４６ｂを、配線収容凹部５４に開設した挿通孔５６に挿通して第１コーナー部材３６の裏側へ導出する。
【００３３】
更に、前記第１コーナー部材３６に形成した第３係合孔７１に、カバー部材６５の左端部に形成した第３係合片６９を挿入し、この状態でカバー部材６５の右端部を第１コーナー部材３６に近接移動する。そして、前記カバー部材６５に形成した第３係合フック７０を第１コーナー部材３６に形成した係合溝７２の端縁に当接させて、カバー部材６５を第１コーナー部材３６側に更に近接移動することで、該第３係合フック７０が弾性変形し、カバー部材６５の裏面が凹部に整合すると、第３係合フック７０が弾性復帰して第３係合フック７０が係合溝７２に係合し、第１コーナー部材３６にカバー部材６５が取り付けられる。このとき、前記カバー部材６５(表示窓６６)を透明な合成樹脂材で形成してあるから、前記設置部４０に取り付けた前記表示装置４２の表示器４３をカバー部材６５の前側から視認することができる。なお、前記カバー部材６５の貼着部６７に対して識別シール７４を予め貼着しておくことで、カバー部材６５の取り付けと同時に識別シール７４を第１コーナー部材３６の所定位置に設けることができる。
【００３４】
(配線収容凹部への配線の収容および引出しについて)
ここで、前記第１コーナー部材３６における配線収容凹部５４の裏側には、配線収容凹部５４の右端部位置にコネクタ４６ｂを保持するコネクタ保持手段５９を設けてある。すなわち、前記挿通孔５６に挿通したコネクタ４６ｂの下端部を、コネクタ保持手段５９の第２係合片６０と段差部５８との間の隙間に差し込んだ状態で、該コネクタ４６ｂの上端部を第２係合フック６１に当接させる。そして、この状態でコネクタ４６ｂを段差部５８側に近接移動させることで第２係合フック６１が弾性変形し、コネクタ４６ｂの前面を段差部５８に当接させた際に弾性復帰した第２係合フック６１がコネクタ４６ｂの後面に係合することで、コネクタ４６ｂを保持することができる。また、前記コネクタ保持手段５９でコネクタ４６ｂを保持した配線４６は、そのまま配線収容凹部５４の収容空間５５に収容できるから、前記カバー部材６５により配線収容凹部５４の前側を覆うことが可能である。
【００３５】
このように、前記挿通孔５６に挿通したコネクタ４６ｂをコネクタ保持手段５９で一定位置に仮止め保持すると共に、配線収容凹部５４に収容した配線４６の前側をカバー部材６５で覆うことにより、第１コーナー部材３６を単独で取扱ったり、第１コーナー部材３６を取り付けた遊技盤２０を取扱うに際して、表示装置４２に接続した配線４６を引っ掛けたり、他の部材との間に挟み込んで断線する等の不都合を防止でき、第１コーナー部材３６や遊技盤２０の取扱いが容易になる。特に、点検・検査終了後に遊技盤２０を保管・出荷するときに、前記配線４６の断線等の不具合が発生するのを好適に防止できる。
【００３６】
また、前記配線収容凹部５４の外側面に、段差部５８側に開放して指先を臨ませ得る凹み部６３を形成したことで、該凹み部６３に臨ませた指先によりコネクタ４６ｂを摘みながら第２係合フック６１を弾性変形させれば、コネクタ保持手段５９で保持したコネクタ４６ｂを容易に取り外し得るようになっている。コネクタ保持手段５９からコネクタ４６ｂを取り外した状態では、コネクタ４６ｂを引張って配線４６を配線収容凹部５４から引出せば、コネクタ４６ｂを中継基板に接続することができる。従って、第１コーナー部材３６を遊技盤２０に取り付けた後にコネクタ４６ｂを中継基板に接続するに際して別途工具等を用いる必要がなく、コネクタ４６ｂの接続作業の効率を向上し得る利点がある。
【００３７】
(第１コーナー部材からの表示装置の取り外しについて)
一方、前記第１コーナー部材３６から表示装置４２を取り外すに際しては、第１コーナー部材３６の前側からカバー部材６５の第３係合フック７０を操作して第１コーナー部材３６の係合溝７２との係合を解除するよう弾性変形させる。そして、カバー部材６５の右端部を前側へ移動して前記第３係合片６９を第１コーナー部材３６の係合溝７２から抜き出すことで、第１コーナー部材３６からカバー部材６５が取り外される。この状態で、前記第１コーナー部材３６の前側から前記表示装置４２のコネクタ差込口４４に差し込まれたコネクタ４６ａを下方へ移動して表示装置４２と配線４６との接続を解除する。そして、前記設置部４０に形成した第１係合フック５２を弾性変形して基板４５の左端部との係合状態を解除し、この状態で基板４５の左端部を前側へ移動すると共に、第１係合片５１と設置部４０との隙間から基板４５の右端部を抜き出すことで、表示装置４２(基板４５)を第１コーナー部材３６から取り外すことができる。
【００３８】
このように、実施例のパチンコ機１０では、遊技盤２０の前面の非遊技領域２０ｂに設けた前記第１コーナー部材３６の設置部４０に対して、該第１コーナー部材３６(遊技盤２０)の前側から表示装置４２(基板４５)を着脱し得ると共に、コネクタ差込口４４に対する前記配線４６のコネクタ４６ａの着脱作業についても、第１コーナー部材３６(遊技盤２０)の前側から行ない得る。従って、第１コーナー部材３６(遊技盤２０)に対して表示装置４２を取り付ける場合や、表示装置４２の取り付け後に交換やメンテナンス作業を行なう場合に、遊技盤２０から第１コーナー部材３６を取り外す必要がなく、作業に要する手間が軽減され、作業効率の向上が図られる。すなわち、実施例のパチンコ機１０では、遊技盤２０の前面の非遊技領域２０ｂに設けた第１コーナー部材３６に設置部４０を形成したことで、表示装置４２(基板４５)を遊技盤２０の前側から着脱することが可能となり、該基板４５の着脱作業の容易化が実現される。特に、遊技店等のように遊技盤２０を中枠１２に組み付けた後に表示装置４２の交換やメンテナンス作業を行なうに際しては、遊技盤２０前面を透視保護する前枠１３を開放して遊技盤２０の前面を露出させるだけで作業を行ない得るから、作業負担の大幅な軽減が図られる。
【００３９】
また、前記設置部４０および配線収容凹部５４の前側を被覆するカバー部材６５に、前記表示装置４２の表示器４３を前側から透視可能な表示窓６６を設けたことで、表示装置４２(表示器４３)をカバー部材６５で覆ったとしても、遊技者や遊技店の店員等が表示装置４２(表示器４３)における表示内容を確実に識別することができる。更に、前記カバー部材６５における表示器４３以外の前側を被覆する部位に、識別シール７４を取り付ける貼着部６７を設けたことで、表示装置４２の基板４５の一部と識別シール７４とが前後に重なる位置関係で配置される。従って、前記表示装置４２および識別シール７４を第１コーナー部材３６に設置するために要するスペースを必要最小限に抑制できるから、遊技盤２０の非遊技領域２０ｂの有効利用が可能となる。このため、非遊技領域２０ｂに、例えば装飾用シールを貼着したり、電飾装置を設置したりして、遊技盤２０の装飾性、付加価値の向上を図ることが可能となる。
【００４０】
(変更例)
なお、本発明に係る遊技機としては、実施例のものに限られず種々の変更が可能である。例えば、コーナー部材の右下部(すなわち第１コーナー部材の下部)に設置部を形成するよう構成したが、コーナー部材における他の部位に設置部を形成するようにしてもよい。なお、一般的に遊技盤に設けられる入賞装置の位置や、遊技球が払出される球皿の位置関係から、遊技盤における非遊技領域の下部位置、具体的には右下端部または左下端部に設置部を形成するのが好適である。
【００４１】
また、表示装置の基板を設置部に着脱可能に取り付ける基板保持手段に関しては、実施例のものに限定されるものでなく、設置部に対して前側から表示装置を着脱し得るよう構成すれば、従来公知の各種手段を採用できる。同様に、カバー部材をコーナー部材に保持する手段に関しても実施例のものに限定されるものでなく、コーナー部材に着脱可能に取り付けられて設置部の前側を被覆するよう構成すれば、種々の手段を採用し得る。
【００４２】
実施例では、表示装置の上部位置に表示器を配置し、表示装置の下部位置にコネクタ差込口を配置するようにしたが、表示器とコネクタ差込口を表示装置の前面に配設して、コネクタ差込口に対して設置部の前側からコネクタを着脱し得るようにすれば、表示装置に対する表示器およびコネクタ差込口の配置は任意に変更することができる。
【００４３】
実施例では、カバー部材を透明の合成樹脂材で形成して、窓部と貼着部とを一体形成するようにしたが、これに限られるものではなく、窓部と貼着部とを別部材として構成するようにしてもよい。また、カバー部材における貼着部は透明に形成する必要はなく、不透明とすることもできる。また、カバー部材における表示器と対応する位置を開口させて窓部とするようにしてもよい。
【００４４】
また、実施例では、前記設置部の下方に配線収容凹部を設けるようにしたが、これに限定されるものではなく、前記表示装置からの配線を収容し得る位置に形成すればよい。更に、前記配線収容凹部の裏側に配線のコネクタを着脱可能に固定する仮止め部を設けたが、任意の位置に設けることができる。
【００４５】
なお、実施例では、遊技機としてパチンコ機を示したがこれに限られるものではなく、アレンジボール機等であってもよく、遊技盤前面の非遊技領域に設けたコーナー部材に、遊技関連情報を表示可能な表示器を備えた表示装置を配設するよう構成された遊技機であれば、何れの遊技機であってもよい。
【図面の簡単な説明】
【００４６】
【図１】本発明の実施例に係るパチンコ機を示す正面図である。
【図２】実施例に係るパチンコ機から前枠を取り外した状態を示す正面図である。
【図３】実施例に係る遊技盤を示す斜視図である。
【図４】実施例に係る入賞装置、主制御装置、払出制御装置、球払出装置および表示装置の関係を示すブロック図である。
【図５】実施例に係る第１コーナー部材に形成した設置部近傍を拡大して示す分解斜視図である。
【図６】実施例に係る第１コーナー部材の下部を示す正面図であって、(a)は設置部から表示装置を取り外した状態を示し、(b)は設置部に表示装置を取り付けた状態を示し、(c)は第１コーナー部材にカバー部材を取り付けた状態を示す。
【図７】実施例に係る第１コーナー部材の下部を示す背面図である。
【図８】(a)は実施例に係る第１コーナー部材の下部を示す側面図であり、(b)は第１コーナー部材をコネクタ保持手段の形成位置で縦断した状態を示す側断面図である。
【符号の説明】
【００４７】
２０  遊技盤
２０ｂ  非遊技領域
３６  第１コーナー部材(コーナー部材)
４０  設置部
４２  表示装置
４３  表示器
４６  配線
４６ｂ  コネクタ
５４  配線収容凹部(配線収容部)
５６  挿通孔
５９  コネクタ保持手段(仮止め部)
６５  カバー部材
６６  表示窓(窓部)
６７  貼着部
７４  識別シール
【図１】
2008061906.tif 000003
【図２】
2008061906.tif 000004
【図３】
2008061906.tif 000005
【図４】
2008061906.tif 000006
【図５】
2008061906.tif 000007
【図６】
2008061906.tif 000008
【図７】
2008061906.tif 000009
【図８】
2008061906.tif 000010